(57)【要約】      （修正有）【課題】肩周辺の高い保温性と血行促進効果が得られ、さらには足元の保温も兼ね備えることができる寝具用肩カバーを提供する。【解決手段】掛け布団の一側下面に装着される、中央に凹部を形成した寝具用肩カバーにおいて、寝具用肩カバー１を、凹部３が略中央部分まで掛け布団の縁部に覆われた状態で装着することを特徴とする。また前記寝具用肩カバー１の下面及び／または上面に、遠赤外線放射部６を設けた。【選択図】図２
0003130450.tif 000002
【実用新案登録請求の範囲】
【請求項１】
掛け布団の一側下面に装着される、中央に凹部を形成した寝具用肩カバーにおいて、前記寝具用肩カバーを、凹部が略中央部分まで掛け布団の縁部に覆われた状態で装着することを特徴とする寝具用肩カバー。
【請求項２】
前記寝具用肩カバーの下面及び／または上面に、遠赤外線放射部を設けた請求項１記載の寝具用肩カバー。
【請求項３】
前記寝具用肩カバーは、掛け布団の下面中央方向に折り畳むことにより、両腕を挿入できる開口部が形成される請求項１または２記載の寝具用肩カバー。
【請求項４】
前記掛け布団の他側下面に、敷き布団との保持を高めるシート材を設置した請求項１乃至３のいずれか一項記載の寝具用肩カバー。
【考案の詳細な説明】
【技術分野】
【０００１】  本考案は、肩周辺の保温性を高めると共に、就寝中における血行促進効果も兼ね備えた寝具用肩カバーに関する。
【背景技術】
【０００２】  従来、就寝中の肩口からの冷えを防止する就寝用襟掛けがある（例えば、特許文献１参照）。
上掲特許文献１の就寝用襟掛けは、掛け布団の襟元部となる一側辺に、その襟元部から少なくとも就寝者の口許にまで達する丈および通気容易性を有する布地を着脱自在に設けたことを特徴とする。
【特許文献１】特開２００５−２６１５５０号公報（第１−２頁、図１）
【考案の開示】
【考案が解決しようとする課題】
【０００３】  しかしながら、上掲特許文献１の就寝用襟掛けは、掛け布団の上側に設置されているため、就寝用襟掛け周囲に隙間が生じ、高い保温性が得られなかった。また襟掛けを使用した際、掛け布団の縁部が下方に配設されてしまい、肩周辺の効率よい保温性が得られなかった。さらに、上記就寝用襟掛けにおいては、その特性が保温性のみに限定されるため、多方面における利便性は得られなかった。【０００４】  そこで本考案は、上記した従来技術の課題を解決するために、肩周辺の高い保温性と血行促進効果が得られ、さらには足元の保温も兼ね備えることができる寝具用肩カバーを提供することにある。
【課題を解決するための手段】
【０００５】  上記課題を解決するために、掛け布団の一側下面に装着される、中央に凹部を形成した寝具用肩カバーにおいて、寝具用肩カバーを、凹部が略中央部分まで掛け布団の縁部に覆われた状態で装着したことを特徴とする。また前記寝具用肩カバーの下面及び／または上面に、遠赤外線放射部を設けた。また前記寝具用肩カバーは、布団の下面中央方向に折り畳むことにより、両腕を挿入できる開口部が形成される。さらに前記掛け布団の他側面下面に、敷き布団との保持を高めるシート材を設置した。
【考案の効果】
【０００６】  掛け布団の一側面下面に寝具用肩カバーを設けたことにより、肩周辺の密着性が向上し高い保温性が得られる。また前記肩カバーの凹部は、略中央部分まで掛け布団の縁部に覆われているので、掛け布団の縁が口の上まで届き、より一層の保温性が得られる。【０００７】  また前記肩カバーの下面及び／または上面に、遠赤外線放射部を設けたことで、就寝中における肩周辺の血行促進効果が得られる。また前記肩カバーは、掛け布団の下面中央方向に折り畳むことにより、両腕を挿入できる開口部が形成されることで、掻巻状態で使用することもできる。さらに前記掛け布団の他側面下面にシート材を設置したことで、敷布団との保持が得られると共に、肩カバーの装着性も確保できる。
【考案を実施するための最良の手段】
【０００８】  以下、本考案における寝具用肩カバーの形態を図面に基づいて説明する。
図示する寝具用肩カバー１は、掛け布団１０の一側下面に設けられるもので、肩周辺の高い保温性と血行促進効果が得られることを特徴とする。
【０００９】  前記寝具用肩カバー１は、掛け布団１０の側面幅に形成されたカバー本体２と、カバー本体２の略中央部に形成された凹部３とからなる。またカバー本体２のカバー材４内には、中材５が収容されている。前記カバー材４は、パイル地、ニット地等からなる肌触りのよい素材で形成されている。また中材５は羽毛、羊毛、ポリエステル綿等の緩衝性と保温性を兼ね備えた素材からなる。
【００１０】  また前記カバー本体２は、縫着、ホック、面ファスナー等の連結手段にて掛け布団１０の下面に設置されている。また前記カバー本体２の一側面の中央部分には、就寝時、人体の首や顎が配設される湾曲状の凹部３が形成されている。さらには、前記カバー本体２の全面には、中材５の偏り防止とデザイン性を向上させるため、キルティング加工が施されている。
【００１１】  また前記寝具用肩カバー１の凹部３は、図３および図４に示すように、ｄ幅を有して掛け布団１０の縁部１１に覆われている。そのことにより、凹部３を顎の周囲に配設した場合、掛け布団１０の縁部１１が口付近まで覆いかぶさり、首周辺に生じる隙間が少なくなり高い保温性が得られる。
【００１２】  また前記寝具用肩カバー１の下面及び／または上面には、遠赤外線放射部６が設けられている。前記遠赤外線放射部６は、図２に示すように、前記カバー本体２の下面（裏面）に施されている。前記遠赤外線放射部６は、トルマリン鉱石を約５μ程度の粉末体に粉砕し、かかる粉末体に各種接着剤を混合したものを、スクリーン印刷、または吹き付け塗装等の手法にて塗布することにより形成される。
【００１３】  前記遠赤外線放射部６を前記肩カバー１の下面（裏面）、上面（表面）のいずれか、または両面に施すことにより、人体から発せられる熱により遠赤外線を放射させることができ、就寝中に肩周辺の血行促進効果が得られる。また前記遠赤外線放射部６においては、体温により遠赤外線を照射するものであれば、如何なる材質でもよく、例えば市販のブラックシリカ等を使用してもよい。
【００１４】  また他の好適例として、図６の（ａ）（ｂ）に示すように、寝具用肩カバー１を掛け布団１０の下面中央方向に折り畳むことにより、両腕を挿入できる開口部７が形成できる状態とすることが好ましい。この際、前記寝具用肩カバー１の幅を略人体の肩幅とし、角をホック８で固定する。また、寝具用肩カバー１の縁部にホック９を設け、かかるホック９に嵌着されるホック９′を掛け布団１０の下面に設ける。そのことにより、寝具用肩カバー１を掛け布団１０の下面中央方向に折り畳み、ホック９をホック９′に嵌着させることで、開口部７が形成される。かかる開口部７に両腕を通すことにより、（ｂ）に示すように、掻巻状態で使用することもできる。なお、前記ホック８、９、９′に替え、雌部及び雄部からなる面ファスナー等を用いてもよい。
【００１５】  また、他の好適例として、前記掛け布団１０の他側下面にシート材１２を設置することが好ましい。かかるシート材１２は織布、不織布等からなり、掛け布団１０と同じ幅に形成されている。かかるシート材１２を、図５に示すように敷布団１３の下面に配設することで、就寝中に掛け布団１０のズレを防ぎ、足許の冷えを軽減することができる。さらに、掛け布団１０が安定することで、寝具用肩カバー１の装着性も向上する。
【図面の簡単な説明】
【００１６】
【図１】本考案の寝具用肩カバーの斜視図である。
【図２】前記寝具用肩カバーの裏面を示す。
【図３】使用状態の正面図である。
【図４】使用状態の側面図である。
【図５】使用状態の側面断面図である。
【図６】他の使用状態を示す正面図である。
【符号の説明】
【００１７】１  寝具用肩カバー
２  カバー本体
３  凹部
４  カバー材
５  中材
６  遠赤外線放射部
７  開口部
８  ホック
９  ホック
９′ホック
１０  掛け布団
１１  縁部
１２  シート材
１３  敷布団
【図１】
0003130450.tif 000003
【図２】
0003130450.tif 000004
【図３】
0003130450.tif 000005
【図４】
0003130450.tif 000006
【図５】
0003130450.tif 000007
【図６】
0003130450.tif 000008